(57)【要約】【課題】壁面等の取付面に対して発信機の種々の態様での取付を可能にし、また既存の取付面に加工を施すことなく取付可能にする発信機用アダプタ、および該発信機用アダプタを用いた発信機の取付方法を得る。【解決手段】本発明に係る発信機用アダプタ１は、押ボタン２１が押下されることで火災信号を発信する発信機３を取付面Ｗに取り付けるための発信機用アダプタ１であって、発信機３が挿入される開口部５ａを有し、開口部５ａに発信機３が固定される本体部５と、本体部５を取付面Ｗに取り付けるための取付部としての円形板７とを有することを特徴とするものである。【選択図】  図１
2014157446.tif 000002
【特許請求の範囲】
【請求項１】
押ボタンが押下されることで火災信号を発信する発信機を取付面に取り付けるための発信機用アダプタであって、
前記発信機が挿入される開口部を有し、該開口部に前記発信機が挿入されて固定される本体部と、該本体部を前記取付面に取り付けるための取付部とを有することを特徴とする発信機用アダプタ。
【請求項２】
前記本体部が、前記取付部の前面側に突出してなることを特徴とする請求項１記載の発信機用アダプタ。
【請求項３】
前記本体部が、前記取付部の背面側に凹陥してなることを特徴とする請求項１記載の発信機用アダプタ。
【請求項４】
前記取付部が前記本体部から外方に張り出すフランジ部からなり、別部材としてドーナツ板からなる取付リングを備えてなり、該取付リングは前記フランジ部と協働して前記取付面を挟持可能になっていることを特徴とする請求項３に記載の発信機用アダプタ。
【請求項５】
前記取付部が前記本体部から外方に張り出すフランジ部からなり、別部材として円環状からなり内周面に雌ねじ部が設けられた円環部材を有し、
前記本体部は、外周面に前記円環部材が螺合可能な雄ねじ部が形成された円筒部を備えていること特徴とする請求項３に記載の発信機用アダプタ。
【請求項６】
前記本体部が点灯して表示灯として機能することを特徴とする請求項１乃至５のいずれか一項に記載の発信機用アダプタ。
【請求項７】
請求項４に記載の発信機用アダプタを用いて前記発信機を前記取付面に設けられた取付用開口部に取り付ける取付方法であって、
前記発信機を前記本体部の前記開口部に挿入して固定する工程と、前記取付用開口部を挟んで前記本体部のフランジ部を背面側に、前記取付リングを前面側にそれぞれ配置して、
前記フランジ部と前記取付リングによって前記取付面の前記取付用開口部の縁部を挟んだ状態で前記フランジ部と前記取付リングを締結する工程とを有することを特徴とする発信機の取付方法。
【請求項８】
請求項５に記載の発信機用アダプタを用いて前記発信機を前記取付面に設けられた取付用開口部に取り付ける取付方法であって、
前記発信機を前記本体部の前記開口部に挿入して固定する工程と、前記本体部を前記取付用開口部に前面側から挿入して、該挿入された前記本体部の前記円筒部に、前記円環部材を螺合させて、前記フランジ部と前記円環部材によって前記取付面の前記取付用開口部の縁部を挟持する工程とを有することを特徴とする発信機の取付方法。
【発明の詳細な説明】
【技術分野】
【０００１】
本発明は、火災信号を発信する発信機を消火栓設備等の防災設備の取付面や建造物の壁面に取り付けるための発信機用アダプタおよび該発信機用アダプタを用いた発信機の取付方法に関する。
なお、本明細書において、方向を示す上下とは、発信機を発信機用アダプタを用いて壁面等の取付面に取り付けた状態を基準に表示するものであり、例えば発信機を屋内に取り付けた場合には、「上」とは天井側で「下」とは床側である。また、発信機又は発信機用アダプタの構成部品の「面」の特定についても同様であり、「前面」とは壁面等の発信機を取り付ける取付面の表面と同じ側の面をいい、「背面」とは取付面の背面と同じ側の面をいう。
【背景技術】
【０００２】
発信機は、押ボタンを押下されることで火災受信機等に火災信号を発信する。発信機は特許文献１に開示されるように、円盤状であるものが一般的である。このような従来の発信機は、防災設備の筐体等の取付面に取付用開口部を設け、該取付用開口部に挿入されて取り付けられている。
【先行技術文献】
【特許文献】
【０００３】
【特許文献１】特開平９−１０２０８５
【発明の概要】
【発明が解決しようとする課題】
【０００４】
発信機は、防災設備の筐体等の設置場所や形状によって、例えば、発信機を取付面から突出させて取り付けるのが好ましい場合や、逆に取付面より没入させて取り付けるのが好ましい場合があり、種々の取付態様が要請される。しかし、従来の発信機は、それ自体が直接取付面に取り付けられるものであるため、取付態様が限られており、上記のような要請に十分に応えられないという問題がある。
【０００５】
また、発信機は、上述したように、取付面に設けた開口部に挿入して取り付けられるため、発信機を新しいものに交換する場合には、交換前の発信機が取り付けられていた取付面の開口部を利用することになる。
この点に関し、発信機は、各メーカによって種々のものが製造されているが、その大きさに関しては、ほぼ同等であるため、発信機交換時において従来の開口部を利用することが可能であった。
しかし、最近、本発明の発明者が別の出願により提案したような、従来にはない小型化が可能な発信機が開発されており、このような小型の発信機を、従来の発信機の交換用として取り付ける場合、既存の取付用の開口部が大きすぎるため、そのままでは取り付けることができないという問題もある。
この場合、小型の発信機に合うように取付面の開口部を加工しなければならず、手間とコストがかかる。
このように、発信機の大きさが変わった場合にも、そのような加工をすることなく取付可能にしたいという要請があった。
【０００６】
本発明は、上記のような課題を解決するためになされたものであり、発信機の種々の態様での取付を可能にし、また既存の取付面に加工を施すことなく取付可能にする発信機用アダプタ、および該発信機用アダプタを用いた発信機の取付方法を得ることを目的とする。
【課題を解決するための手段】
【０００７】
（１）本発明に係る発信機用アダプタは、押ボタンが押下されることで火災信号を発信する発信機を取付面に取り付けるための発信機用アダプタであって、
前記発信機が挿入される開口部を有し、該開口部に前記発信機が挿入されて固定される本体部と、該本体部を前記取付面に取り付けるための取付部とを有することを特徴とするものである。
【０００８】
（２）また、上記（１）に記載のものにおいて、前記本体部が、前記取付部の前面側に突出してなることを特徴とするものである。
【０００９】
（３）また、上記（１）に記載のものにおいて、前記本体部が、前記取付部の背面側に凹陥してなることを特徴とするものである。
【００１０】
（４）また、上記（３）に記載のものにおいて、前記取付部が前記本体部から外方に張り出すフランジ部からなり、別部材としてドーナツ板からなる取付リングを備えてなり、該取付リングは前記フランジ部と協働して前記取付面を挟持可能になっていることを特徴とするものである。
【００１１】
（５）また、上記（３）に記載のものにおいて、前記取付部が前記本体部から外方に張り出すフランジ部からなり、別部材として円環状からなり内周面に雌ねじ部が設けられた円環部材を有し、
前記本体部は、外周面に前記円環部材が螺合可能な雄ねじ部が形成された円筒部を備えていること特徴とするものである。
【００１２】
（６）また、上記（１）乃至（５）のいずれかに記載のものにおいて、前記本体部が点灯して表示灯として機能することを特徴とするものである。
【００１３】
（７）本発明に係る発信機の取付方法は、請求項４に記載の発信機用アダプタを用いて前記発信機を前記取付面に設けられた取付用開口部に取り付ける取付方法であって、
前記発信機を前記本体部の前記開口部に挿入して固定する工程と、前記取付用開口部を挟んで前記本体部のフランジ部を背面側に、前記取付リングを前面側にそれぞれ配置して、前記フランジ部と前記取付リングによって前記取付面の前記取付用開口部の縁部を挟んだ状態で前記フランジ部と前記取付リングを締結する工程とを有することを特徴とするものである。
【００１４】
（８）また、本発明に係る発信機の取付方法は、請求項５に記載の発信機用アダプタを用いて前記発信機を前記取付面に設けられた取付用開口部に取り付ける取付方法であって、
前記発信機を前記本体部の前記開口部に挿入して固定する工程と、前記本体部を前記取付用開口部に前面側から挿入して、該挿入された前記本体部の前記円筒部に、前記円環部材を螺合させて、前記フランジ部と前記円環部材によって前記取付面の前記取付用開口部の縁部を挟持する工程とを有することを特徴とするものである。
【発明の効果】
【００１５】
本発明の発信機用アダプタは、発信機が挿入される開口部を有し、該開口部に前記発信機が固定される本体部と、該本体部を前記取付面に取り付けるための取付部とを有するので、発信機に合うように開口部の大きさ等を設定し、取付面に合うように取付部を設定することで、種々の大きさ発信機を種々の大きさの開口部を有する取付面に対して、種々の態様で取り付けることが可能になる。
【図面の簡単な説明】
【００１６】
【図１】本発明の実施の形態１にかかる発信機用アダプタ及びこれを用いた発信機の取付方法を説明する説明図である。
【図２】本発明の実施の形態１にかかる発信機用アダプタによって取り付けられる発信機の斜視図である。
【図３】本発明の実施の形態１にかかる発信機用アダプタによって発信機を取り付けた状態の斜視図である。
【図４】本発明の実施の形態２にかかる発信機用アダプタ及びこれを用いた発信機の取付方法を説明する説明図である。
【図５】本発明の実施の形態２にかかる発信機用アダプタの斜視図である。
【図６】本発明の実施の形態２にかかる発信機用アダプタによって発信機を取り付けた状態の斜視図である。
【図７】本発明の実施の形態３にかかる発信機用アダプタ及びこれを用いた発信機の取付方法を説明する説明図である。
【図８】本発明の実施の形態４にかかる発信機用アダプタ及びこれを用いた発信機の取付方法を説明する説明図である。
【図９】本発明の実施の形態１〜実施の形態４で示した発信機を直接取付面に取り付ける方法について説明する説明図である。
【図１０】本発明の実施の形態１〜実施の形態４にかかる発信機を直接取付面に取り付けた状態を説明する説明図である。
【発明を実施するための形態】
【００１７】
［実施の形態１］
本発明の実施の形態１にかかる発信機用アダプタ１は、小型の発信機３を取付面に取り付けるためのものであるので、発信機用アダプタ１の説明をする前に発信機３について図１および図２に基づいて概説する。
【００１８】
発信機３は、前面に押ボタン２１を備え、押ボタン２１が押下されると図示しない火災受信機に火災信号を発信する。
発信機３は、図１および図２に示す通り、箱状からなり内部に押ボタン２１に連動するスイッチ（図示なし）等を収容する本体部２３と、本体部２３の一端面に設けられて押ボタン２１を格納する押ボタン格納部２５とを有している。
【００１９】
押ボタン格納部２５は、浅底の有底円筒枠状からなり、その開口を覆う蓋体２７を有している。蓋体２７には、押ボタン２１を操作するための押ボタン用開口部２７ａが設けられている。
押ボタン格納部２５の底部における左右には、図１に示すように、発信機３を発信機用アダプタ１に固定するためのねじ３５が挿通されるねじ挿通孔２５ａが設けられている。
本体部２３の下面側には、発信機３を受信機側に接続するための配線接続部（図示なし）が設けられている。
なお、発信機３は従来の一般的な発信機の直径（１４〜１５ｃｍ）よりも小型であり、押ボタン格納部２５の直径が８．５ｃｍで、本体部２３の一辺の長さが５．５ｃｍである。
【００２０】
次に、発信機用アダプタ１について図１および図３に基づいて説明する。発信機用アダプタ１は、発信機３を取付面Ｗよりも前面側に突出するように取り付けるタイプの発信機用アダプタである。
発信機用アダプタ１は、図１に示すように、発信機３が挿入される矩形状の開口部５ａを有し、開口部５ａに発信機３が挿入されて固定される本体部５と、本体部５を取付面Ｗに取り付けるための取付部としての円形板７とを有している。
以下に、発信機用アダプタ１の各構成について図１〜図３に基づいて詳細に説明する。
【００２１】
＜本体部＞
本体部５は、図１に示すように、中央部に発信機３の押ボタン格納部２５が収容される円形の凹陥部６を有するドーナツ状からなり、凹陥部６の底面に平板部５ｂが形成され、この平板部５ｂの中央には発信機３の本体部２３が挿入される開口部５ａが設けられている。
本体部５は、円形板７の前面側に突出して設けられているので、取付面Ｗに発信機用アダプタ１を取り付ける場合、本体部５が取付面Ｗから突出することになる（図３参照）。
平板部５ｂには、発信機３を発信機用アダプタ１側に取り付けるためのねじ３５が挿通されるねじ挿通孔５ｃが設けられている。
なお、本体部５の背面側は開口しており、全体形状がドーナツ形の有底枠体状をしている。本体部５の枠内にＬＥＤ等の発光体を設置して本体部を透光性の部材にすれば、本体部５を表示灯として機能させることができる。なお、本体部５を構成する透光部材は、赤色のものでもよいし、発光体を赤色のものにした場合には、無色透明なものでもよい。
【００２２】
＜円形板＞
円形板７は、図１に示すように、中央に発信機３が挿入される矩形状の開口部７ａを有している。開口部７ａの縁部には、平板部５ｂのねじ挿通孔５ｃに対応する位置に、発信機３を固定するためのねじ孔７ｂが設けられている。円形板７は、本体部５の背面側に着脱可能になっている。
円形板７の開口部７ａの周囲には、取付面Ｗにねじ固定するためのダルマ孔７ｃが複数設けられている。そのため、取付面Ｗに既存のねじ孔が設けられている場合、それらねじ孔の位置に合うダルマ孔７ｃを適宜選択可能になっており、取付面Ｗに新規にねじ孔を設けることなく、円形板７を取付面Ｗに固定可能である。
【００２３】
上記のように構成された発信機用アダプタ１を用いて発信機３を、従来型の発信機に替えて取付面Ｗに取り付ける方法について図１に基づいて以下に説明する。
図１は、取付面Ｗから従来型の発信機が既に取り外された状態を示しており、取付面Ｗには従来型の発信機が取りついていた取付用開口部３１と、取付用開口部３１の左右両縁にねじ孔３３が設けられている。
【００２４】
まず、円形板７のダルマ孔７ｃを取付面Ｗのねじ孔３３に合わせて、円形板７を取付面Ｗの前面側にねじ固定する。
次に、本体部５の開口部５ａと円形板７の開口部７ａの位置を合わせて、蓋体２７を外した発信機３を挿入する。そして、ねじ３５を発信機３のねじ挿通孔２５ａおよび本体部５のねじ挿通孔５ｃに挿通して、円形板７のねじ孔７ｂに螺入させる。これにより、発信機３が本体部５に固定されるとともに、本体部５が円形板７に固定される。
このとき、本体部５を従来の発信機と同等以上の大きさ設定することで、仮に取付面Ｗに従来の発信機の設置跡（日焼け跡等）があったとしても、本体部５によってこの設置跡が隠されて見栄えが良くなるので好ましい。
最後に、蓋体２７を発信機３に取り付ければ発信機３の取付が完了する（図３参照）。
【００２５】
以上のように、発信機用アダプタ１を用いることで、従来型よりも小型の発信機３であっても、従来型の取り付いていた取付面Ｗに取り付けることができる。また、本実施の形態の発信機用アダプタ１のように取付部（円形板７）が本体部の背面側にあるアダプタを用いることで、取付面Ｗから発信機３を突出させて取り付けることができる。
【００２６】
また、上記のように、従来型の発信機に代えて小型の発信機３を取り付ける場合であっても、取付面Ｗに加工をする必要がないため、取付コストを低減させることができる。
さらに、発信機用アダプタ１の本体部５の大きさを従来型の発信機の大きさよりも大きく設定していれば、仮に、取付面Ｗに日焼による変色等の取付跡があったとしても、本体部５で隠すことができ、見栄えを良くすることができる。
【００２７】
［実施の形態２］
上記の実施の形態１では、発信機３を取付面Ｗから突出させて取り付けるタイプの発信機用アダプタ１について説明したが、本実施の形態では、発信機３を取付面Ｗより没入させて取り付ける発信機用アダプタに関するものである。発信機用アダプタ４１について図４〜図６に基づいて以下に説明する。
【００２８】
発信機用アダプタ４１は、発信機用アダプタ１と同様に、中央に発信機３が挿入される開口部４３ａを有し、開口部４３ａに発信機３が挿入されて固定される本体部４３と、本体部４３の前端部から外方に張出すフランジ状の取付部４５とを有している。そして、後述する通り、本体部４３は、取付部４５の背面側に位置しており、凹陥に形成されている。
発信機用アダプタ４１は、主として、取付部４５が本体部４３の前端部に設けられている点で実施の形態１の発信機用アダプタ１と異なる（図１および図５参照）。
発信機用アダプタ４１の各構成についてさらに詳細に説明する。
【００２９】
＜本体部＞
本体部４３は、図５に示すように、前面側に、背面側に向かうに従って内方に傾斜するリング状の傾斜面４７を有し、この傾斜面４７の下端には円形の内周壁５７が背面側に延出するように設けられ、発信機３の押ボタン格納部２５が収容される円形の凹陥部４９が形成されている。凹陥部４９の底面には、平坦面からなる発信機固定部５１が形成され、この発信機固定部５１の中央には発信機３の本体部２３が挿入される開口部４３ａが設けられ、開口部４３ａの周縁部には開口部４３ａに挿入された本体部２３を保持する矩形筒状の本体保持部５３が開口部４３ａから背面側に延出するように設けられている。また、発信機固定部５１は、左右に一対のねじ孔５１ａが設けられている。
【００３０】
発信機３を本体部４３に取り付けた状態では、凹陥部４９に発信機３の押ボタン格納部２５が収納され、このとき発信機３は傾斜面４７よりも背面側に位置し、傾斜面４７は前面側から視認することができるようになっている。
【００３１】
前面から背面側に向かって立設する本体部４３の周壁は、図４および図５に示すように、外周壁５５と内周壁５７からなる２重構造になっている。そのため、外周壁５５と内周壁５７の隙間に、ＬＥＤ等の発光体を収納して、本体部４３の傾斜面４７を透光性の部材で形成すれば表示灯としての機能を付加することができる。なお、傾斜面４７を構成する透光部材は、赤色のものでもよいし、発光体を赤色のものにした場合には、無色透明なものでもよい。
【００３２】
＜取付部＞
取付部４５は、図５に示すように、本体部４３の前端部から外方に張出す矩形のフランジ状になっている。
取付部４５の四隅には、発信機用アダプタ４１を取付面Ｗに取り付けるためのスタッドねじ挿通孔４５ａが設けられている。
また、取付部４５には、傾斜面４７の外周を縁取るリング状の立片部６３が設けられている。立片部６３は、発信機用アダプタ４１を取付面Ｗに取り付ける際に、取付面Ｗに設けられた取付用開口部７１（図４参照）の縁に当接して、発信機用アダプタ４１の位置決め（位置合せ）をする機能を有している。
【００３３】
なお、立片部６３を設けることで側方からの視認性が向上する効果もある。また、立片部６３は、発信機用アダプタ４１の取付時や取付後において、取付用開口部７１の縁で手等を傷つけるのを防止する機能も有する。
【００３４】
以上のように構成された発信機用アダプタ４１を用いて、発信機３を取付面Ｗへ取り付ける方法について図４に基づいて説明する。
まず、取付面Ｗについて説明する。
取付面Ｗには、発信機用アダプタ４１を取り付けるための取付用開口部７１が設けられている。取付面Ｗの背面側には、取付用開口部７１を囲むように、スタッドねじ７３が設けられている。スタッドねじ７３は、発信機用アダプタ４１の取付部４５のスタッドねじ挿通孔４５ａに対応する位置になるように配置されている。
【００３５】
次に取付方法を説明する。まず、蓋体２７を外した状態の発信機３の本体部２３を、発信機用アダプタ４１の凹陥部４９内に収納する。本体部２３が凹陥部４９内に収納されると、押ボタン格納部２５の背面と発信機固定部５１の前面側の面とが当接して、発信機３の奥行方向の位置決めがされるとともに、発信機３の本体部２３が本体保持部５３によって保持される。
【００３６】
この状態で発信機３のねじ挿通孔２５ａにねじ３５を挿通して、これらのねじ３５を発信機固定部５１のねじ孔５１ａに螺入することによって、発信機３は発信機用アダプタ４１に固定される。そして、蓋体２７を閉じると発信機３の発信機用アダプタ４１へ取り付けが完了する。
【００３７】
次に、取付面Ｗのスタッドねじ７３を発信機用アダプタ４１の取付部４５のスタッドねじ挿通孔４５ａに挿通させて、取付部４５を取付面Ｗの背面に当接させる。
なお、スタッドねじ挿通孔４５ａの径をスタッドねじ７３の径よりも大きく設定してもよい。この場合、立片部６３が取付面Ｗの取付用開口部７１の縁に当接させることで発信機用アダプタ４１の位置決めをすることができる。つまり、スタッドねじ挿通孔４５ａの径をスタッドねじ７３の径よりも大きく設定することができ、スタッドねじ７３とスタッドねじ挿通孔４５ａとの多少の位置ずれを吸収することができるので、設計が容易でかつ作業性にも優れる。
また、立片部６３を設けることで、取付用開口部７１の開口縁部を覆うことができ、意匠性に優れると共に、取付用開口部７１の縁で怪我をする恐れもない。
【００３８】
次に、取付部４５の背面側からナット７５をスタッドねじ７３に螺合させることで発信機用アダプタ４１をねじ固定して、取付を完了する。
【００３９】
以上のように、発信機用アダプタ４１を用いることで、発信機３を取付面Ｗより没入させた状態で取り付けることができ、発信機３を外部から接触し難くして取り付けることができ、発信機の破損を防止することができる。
【００４０】
なお、上記の説明では、発信機３を発信機用アダプタ４１に取り付けた後に発信機用アダプタ４１を取付面Ｗに取り付ける例を示したが、発信機用アダプタ４１を取付面Ｗに取り付けた後に発信機３を取り付けてもよい。
また、上記の説明では、取付面Ｗにスタッドねじ７３が設けられる例で説明したが、スタッドねじ７３の代わりに取付用ねじ挿通孔を取付面Ｗに設け、壁面Ｗの前面側から取付用ねじ挿通孔と取付部４５のスタッドねじ挿通孔４５ａとに取付用ねじを挿通し、ナットで締結することで固定しても良い。
【００４１】
［実施の形態３］
本実施の形態は、実施の形態２と同様に、発信機を取付面Ｗより没入させた状態で取り付ける発信機用アダプタ８１に関するものである。
発信機用アダプタ８１の基本構造は、実施の形態２の発信機用アダプタ４１と同様であるので、図７において同一のものには同一の符号を付している。また、発信機３は上記の実施の形態１および実施の形態２と同様であるので、図７において同一の符号を付している。
発信機用アダプタ８１が発信機用アダプタ４１と異なる点の一つは、図７に示すように、フランジ状の取付部８５の形状が円形である点である。取付部８５には、後述する取付リング８３のスタッドねじ８３ａに対応する位置にスタッドねじ挿通孔８５ａが設けられている。
また、発信機用アダプタ８１が発信機用アダプタ４１と異なる他の点は、別部材として、ドーナツ板（ドーナツ状の平板）からなり、背面側に複数のスタッドねじ８３ａが設けられた取付リング８３を有している点である。
【００４２】
上記のように構成された発信機用アダプタ８１の取付方法について以下に説明する。なお、発信機３の発信機用アダプタ８１への取付方法は、実施の形態２で説明した方法と同様であるのでその説明を省略する。
取付面Ｗには、取付用開口部７１および取付リング８３のスタッドねじ８３ａに対応する位置にスタッドねじ挿通孔７７を設けておく。
【００４３】
まず、取付面Ｗの前面側からスタッドねじ挿通孔７７に、取付リング８３のスタッドねじ８３ａを挿通する。
次に、取付面Ｗの背面側から取付部８５のスタッドねじ挿通孔８５ａにスタッドねじ８３ａを挿通し、取付部８５と取付リング８３によって取付用開口部７１の縁部を挟む。
この状態で、ナット７５をスタッドねじ８３ａに螺合させて締め付けることで、取付部８５と取付リング８３とが締結し、取付用開口部７１の縁部を取付部８５と取付リング８３とが協働することによって挟持し、これによって発信機用アダプタ８１が取付面Ｗに取り付けられる。
【００４４】
取付リング８３を用いることで、例えば、取付用開口部７１の位置がずれており、発信機用アダプタ８１の立片部６３と取付用開口部７１との間に隙間が生じるような場合でも、取付リング８３によって前記隙間を覆うことができるため、取付状態に意匠性に優れる。換言すれば、取付用開口部７１の穴あけに高い精度が要求されないので、穴あけ作業の作業効率を向上させることができる。
【００４５】
また、取付面Ｗにスタッドねじ７３を設けずに、単に穴（スタッドねじ挿通孔７７）を開けるだけでよいため、取付面Ｗにスタッドねじ７３を設けることが難しい場合でも、発信機用アダプタ８１を容易に設置することができる。
また、取付面Ｗから大きく突出する部分がないので、物がぶつかって発信機３が破損することがない点は、上記実施の形態２の発信機用アダプタ４１と同様である。
【００４６】
［実施の形態４］
上記実施の形態２および実施の形態３では、スタッドねじ（スタッドねじ８３ａ、スタッドねじ７３）を用いて取付面Ｗに取り付ける取付構造の例を示したが、本実施の形態の発信機用アダプタ９１はスタッドねじを用いないで取付面Ｗに取り付けることができるものである。
発信機用アダプタ９１の基本構造は、実施の形態３の発信機用アダプタ８１と同様であるので、図８において同一のものには同一の符号を付している。また、発信機３は上記の実施の形態１および実施の形態２と同様であるので、図８において同一の符号を付している。
発信機用アダプタ９１が発信機用アダプタ８１と異なる点の一つは、図８に示すように、フランジ状の取付部９５に、スタッドねじ挿通孔８５ａが設けられていない点である。
また、発信機用アダプタ９１が発信機用アダプタ８１と異なる他の点は、本体部４３を構成する外周壁５５の外周面に雄ねじ部９３が設けられ、別部材として、円環状からなり内周面に雄ねじ部９３に対応する雌ねじ部９７ａが設けられた円環部材９７を有している点である。すなわち、本体部４３は、外周面に円環部材９７が螺合可能な雄ねじ部９３が形成された円筒部を備えている。
【００４７】
以下、発信機用アダプタ９１の取付面Ｗへの取り付け方法について説明する。
まず、発信機用アダプタ９１の本体部４３の外周壁５５を取付面Ｗの前面側から取付用開口部７１に挿入する。
次に、外周壁５５の雄ねじ部９３に取付面Ｗの背面側から円環部材９７を螺合させて締め付ける。これにより、取付部９５と円環部材９７で、取付用開口部７１の縁部を挟持して、発信機用アダプタ９１を取付面Ｗに取り付けることができる。
なお、発信機３の発信機用アダプタ９１への取付方法は、実施の形態２で説明した方法と同様である。
【００４８】
以上のように、実施の形態１〜実施の形態４に係る発信機用アダプタ（発信機用アダプタ１、発信機用アダプタ４１、発信機用アダプタ８１、発信機用アダプタ９１）を用いれば、発信機３を取付面Ｗから突出させるかあるいは没入させる取付態様を選択でき、また、没入させる場合でも、多様な取付構造の中から適宜選択可能である。
以上のような効果は、発信機をアダプタを用いて取り付けるという新たな発想によって得られるものであり、従来のように発信機を直接取付面に取り付けるとうい発想からは得られないものである。
上記の実施の形態１〜実施の形態４では、発信機３を取付面Ｗから突出させるかあるいは没入させる態様について説明したが、本発明は発信機３を取付面Ｗと面一になるように取り付ける場合を除外するものではなく、アダプタの形状を適宜設定することでこのような態様も可能であることは言うまでもない。
【００４９】
なお、小型の発信機３は、発信機用アダプタ（発信機用アダプタ１、発信機用アダプタ４１、発信機用アダプタ８１、発信機用アダプタ９１）を用いないで、取付面Ｗに直接取り付けることも可能である。以下、このような取付方法の一例を図９に基づいて説明する。
【００５０】
取付面Ｗには、予め発信機３の本体部２３の大きさに合わせて取付用開口部１０１を設けておく。そして取付用開口部１０１の左右両縁部には、発信機３をねじ固定するためのねじ孔１０３を設けておく。
【００５１】
取り付けに際しては、蓋体２７を開けた状態の発信機３を取付用開口部１０１に挿入して、発信機３のねじ挿通孔２５ａおよび取付面Ｗのねじ孔１０３にねじ３５を挿通して、取付面Ｗの背面側からナット（図示なし）等で固定し、その後、蓋体２７を設置すれば完了である。
取付後の状態を図１０に示す。なお図１０において、取付面Ｗには発信機３に隣接して表示灯１０５を設けている。
【符号の説明】
【００５２】
Ｗ  取付面
１  発信機用アダプタ
３  発信機
５  本体部
５ａ  開口部
５ｂ  平板部
５ｃ  ねじ挿通孔
６  凹陥部
７  円形板
７ａ  開口部
７ｂ  ねじ孔
７ｃ  ダルマ孔
２１  押ボタン
２３  本体部
２５  押ボタン格納部
２５ａ  ねじ挿通孔
２７  蓋体
２７ａ  押ボタン用開口部
３１  取付用開口部
３３  ねじ孔
３５  ねじ
４１  発信機用アダプタ
４３  本体部
４３ａ  開口部
４５  取付部
４５ａ  スタッドねじ挿通孔
４７  傾斜面
４９  凹陥部
５１  発信機固定部
５１ａ  ねじ孔
５３  本体保持部
５５  外周壁
５７  内周壁
６３  立片部
７１  取付用開口部
７３  スタッドねじ
７５  ナット
７７  スタッドねじ挿通孔
８１  発信機用アダプタ
８３  取付リング
８３ａ  スタッドねじ
８５  取付部
８５ａ  スタッドねじ挿通孔
９１  発信機用アダプタ
９３  雄ねじ部
９５  取付部
９７  円環部材
９７ａ  雌ねじ部
１０１  取付用開口部
１０３  ねじ孔
１０５  表示灯
【図１】
2014157446.tif 000003
【図２】
2014157446.tif 000004
【図３】
2014157446.tif 000005
【図４】
2014157446.tif 000006
【図５】
2014157446.tif 000007
【図６】
2014157446.tif 000008
【図７】
2014157446.tif 000009
【図８】
2014157446.tif 000010
【図９】
2014157446.tif 000011
【図１０】
2014157446.tif 000012